(57)【特許請求の範囲】
【請求項１】
一対のテーブルの脚の側を対向させて組み合わせることで、すべての側面が板囲いで上方が開口した箱形の収納箱が構成され、この収納箱が、何れかのテーブルの天板を建屋の固定部に押し当てて配置され、一方のテーブルの脚の先端と、他方のテーブルの天板の裏面との間に、各テーブルの水平方向および上下方向へのズレを防止するズレ防止部材が設けられ、建屋の固定部に一端が固定されたベルトの他端が、固定部から離れた側のテーブルを保持して、各テーブルの前後方向のズレを防止したことを特徴とする収納装置。
【請求項２】
前記ズレ防止部材が円錐状の突起を備え、この突起が嵌合する円錐状の凹所が前記テーブルの脚の先端面に設けられていることを特徴とする請求項１に記載の収納装置。
【請求項３】
前記テーブルが天板と脚板を一体にＬ字形に形成されていることを特徴とする請求項１又は２に記載の収納装置。
【請求項４】
前記固定部から離れた側のテーブルの脚板に、前記ベルトが貫通する孔があけられ、前記ベルトの他端が、当該脚板の表面側から当該孔を貫通し、この脚板の裏面に固定されて、当該テーブルを保持することを特徴とする請求項３に記載の収納装置。
【請求項５】
前記固定部に押し当てられたテーブルの脚板に、前記ベルトが貫通する孔があけられ、かつ前記固定部から離れた側のテーブルの天板の裏面に係止部が配置され、前記ベルトの他端が、当該脚板の表面側から当該孔を貫通し、前記天板の裏面で前記係止部に巻かれた後に、この脚板の裏面に固定されて、当該テーブルを保持することを特徴とする請求項３又は４に記載の収納装置。
【請求項６】
天板の一辺に当該天板と同一幅の脚板を一体に有し、この脚板と前記天板とをＬ字形に形成し、他辺に脚柱を有するテーブルを備え、このテーブルの天板の裏面に、一対のテーブルの脚の側を対向させて組み合わせることで、すべての側面が板囲いで上方が開口した箱形の収納箱を構成する際に、別の共通形態のテーブルの前記脚柱と係り合うズレ防止部材を備えたことを特徴とするテーブル装置。
【請求項７】
前記ズレ防止部材が円錐状の突起を備え、この突起が嵌合する円錐状の凹所が前記テーブルの脚の先端面に設けられていることを特徴とする請求項６に記載のテーブル装置。
【発明の詳細な説明】
【技術分野】
【０００１】
本発明は、例えば、園児用のテーブル二台を組み合わせることで構成され、テーブルとセットの椅子等をはじめとした物品を収納し、又、地震等の災害時には園児などを避難させ外力から保護することのできる収納装置に関する。
【背景技術】
【０００２】
従来から、保育園や幼稚園では、床面積を広くとるために、椅子やテーブルなどの備品を収納する収納スペースを設けていないことが多い。椅子やテーブルを片付ける必要があるときには、保育室の片隅に複数の椅子やテーブルをスタッキングして置くのが一般的である。
そのため、限られたスペースに効率良く複数の椅子を収納するために、上下方向に複数スタッキングして収納する、あるいは、前後方向（水平方向）に複数スタッキングして収納することができるように構成されている椅子が知られている（例えば、特許文献１参照）。
【先行技術文献】
【特許文献】
【０００３】
【特許文献１】特開２０１１−１３６１０１号公報
【発明の概要】
【発明が解決しようとする課題】
【０００４】
しかしながら、複数スタッキングされた椅子は、地震等の振動により倒れる可能性があった。また、つかまり立ちを始めた乳児がスタッキングされた椅子につかまった場合には、スタッキングされた椅子が倒れてしまう危険性があった。また、地震等の災害時には園児などを避難させ外力から保護する必要があった。
【０００５】
そこで、本発明の目的は、上述した従来の技術が有する課題を解消し、テーブル二台を組み合わせることで構成され、テーブルとセットの椅子をはじめとした物品等を収納し、また、地震等の災害時には園児などを避難させ外力から保護することのできる収納装置を提供することにある。
【課題を解決するための手段】
【０００６】
上記目的を達成するために、本発明は、一対のテーブルの脚の側を対向させて組み合わせることで、すべての側面が板囲いで上方が開口した箱形の収納箱が構成され、この収納箱が、何れかのテーブルの天板を建屋の固定部に押し当てて配置され、一方のテーブルの脚の先端と、他方のテーブルの天板の裏面との間に、各テーブルの水平方向および上下方向へのズレを防止するズレ防止部材が設けられ、建屋の固定部に一端が固定されたベルトの他端が、固定部から離れた側のテーブルを保持して、各テーブルの前後方向のズレを防止したことを特徴とする収納装置を用いた。
【０００７】
この場合において、前記ズレ防止部材が円錐状の突起を備え、この突起が嵌合する円錐状の凹所が前記脚柱の先端面に設けられていてもよい。
【０００８】
また、前記テーブルが天板と脚板を一体にＬ字形に形成されていてもよい。
【０００９】
また、前記固定部から離れた側のテーブルの脚板に、前記ベルトが貫通する孔があけられ、前記ベルトの他端が、当該脚板の表面側から当該孔を貫通し、この脚板の裏面に固定されて、当該テーブルを保持することを特徴とするものでもよい。
また、前記固定部に押し当てられたテーブルの脚板に、前記ベルトが貫通する孔があけられ、かつ前記固定部から離れた側のテーブルの天板の裏面に係止部が配置され、前記ベルトの他端が、当該脚板の表面側から当該孔を貫通し、前記天板の裏面で前記係止部に巻かれた後に、この脚板の裏面に固定されて、当該テーブルを保持することを特徴とするものでもよい。
【００１０】
また、天板の一辺に当該天板と同一幅の脚板を一体に有し、この脚板と前記天板とをＬ字形に形成し、他辺に脚柱を有するテーブルを備え、このテーブルの天板の裏面に、一対のテーブルの脚の側を対向させて組み合わせることで、すべての側面が板囲いで上方が開口した箱形の収納箱を構成する際に、別の共通形態のテーブルの前記脚柱と係り合うズレ防止部材を備えていてもよい。
【００１１】
また、前記ズレ防止部材が円錐状の突起を備え、この突起が嵌合する円錐状の凹所が前記脚柱の先端面に設けられていてもよい。
【発明の効果】
【００１２】
本発明によれば、テーブル二台が組み合わせられることで収納箱を形成し、収納箱は、建屋の固定部に一端が固定されたベルトの他端が固定部から離れた側のテーブルを保持することで建屋に固定されるため、収納箱は、建屋に密着し、建屋の固定部からずれることがない。また、本発明によれば、すべての側面が板囲いとなっているため、地震等の災害時には収納箱内に園児などを避難させ、外力から保護できる。
【図面の簡単な説明】
【００１３】
【図１】本発明を適用した実施形態に係るテーブルを示した斜視図である。
【図２】本発明を適用した実施形態に係るテーブルの構成を示す分解斜視図である。
【図３】本発明を適用した実施形態に係る収納装置の組み立て手順を示した斜視図である。
【図４】本発明を適用した実施形態に係る収納装置を示した斜視図である。
【発明を実施するための形態】
【００１４】
以下、図面を参照して本発明の実施形態について説明する。
図１、図２は、本実施形態に係るテーブル１０を示す図である。
このテーブル１０は、天板１１と、この天板１１の幅Ｗ１と同一の幅Ｗ１を有する板状脚１２と、２本の円柱状脚１３とで構成されている。
図２は、テーブル１０を裏面から見た分解斜視図である。
天板１１と板状脚１２とは、２つのＬ字結合部材２２、２２により連結されている。Ｌ字結合部材２２、２２は、直角な面を有し、一の面２２ｅを天板１１の裏面１１ａに固定し、他の面２２ｆを板状脚１２の内側１２ｃに固定する。Ｌ字結合部材２２、２２は、４箇所のネジ２２ａ、２２ａ…により、天板１１の裏面１１ａにネジ止めされる。板状脚１２の上端には、６箇所のダボ１６、１６…が備えられ、ダボ１６、１６…は、天板１１の裏面１１ａの６箇所のダボ穴２１、２１…に嵌め込まれる。Ｌ字結合部材２２、２２の面２２ｆは、板状脚１２の内側１２ｃに当接し、この板状脚１２と、Ｌ字結合部材２２、２２とが、ネジ２７により結合される。具体的には、ネジ２７は、ネジ孔２２ｂを貫通し、ネジ穴２０に結合される。天板１１と板状脚１２との結合角は、Ｌ字結合部材２２、２２により、直角が保障される。
【００１５】
２本の円柱状脚１３は、ネジ１３ａにより、それぞれ円柱状脚固定部材３１、３１に固定される。円柱状脚固定部材３１、３１は、それぞれ４つのネジ３１ｂ、３１ｂ…により、天板１１の裏面１１ａにネジ止めされている。
本実施形態によれば、２本の円柱状脚１３の先端に、それぞれ円錐状凹部１３ｂ、１３ｂが形成されている。また、Ｌ字結合部材２２、２２の天板１１の長手方向の側面１１ｂ側の横隣には、それぞれ円錐状凸部２９、２９が設けられている。
円錐状凸部２９、２９とＬ字結合部材２２、２２との間には、円柱状脚１３、１３の底面の半径の長さ１３ｃ、１３ｃから、円錐状凹部１３ｂ、１３ｂの底面の半径の長さ１３ｄ、１３ｄを引いた長さよりも長い間隔が設けられている。
円錐状凸部２９、２９の中心軸と円錐状凹部１３ｂ、１３ｂの中心軸とは、天板１１の長手方向の側面１１ｂと平行な軸線上に位置している。円錐状凸部２９、２９の中心軸は、天板１１の短手方向の側面１１ｃから寸法Ａだけ離れた、側面１１ｃと平行な軸線上に位置している。円錐状凹部１３ｂ、１３ｂの中心軸は、天板１１の短手方向の側面１１ｄから上記寸法Ａだけ離れた、側面１１ｄと平行な軸線上に位置している。円錐状凸部２９、２９の中心軸間のピッチと、円錐状凹部１３ｂ、１３ｂの中心軸間のピッチとは一致している。
また、天板１１ａの裏面１１ａには、中央部に持ち運び時に指をかけるための窪みが形成されている。
【００１６】
板状脚１２の下端１２ａの中央（幅Ｗ１の中央部）には、平面ファスナー挿入溝１８ａが設けられ、板状脚１２の上端１２ｂの中央には、平面ファスナー挿入溝１８ｂが設けられている。板状脚１２の内側１２ｃには、平面ファスナー挿入溝１８ａと平面ファスナー挿入溝１８ｂの間に位置して、平面ファスナー固定部１９が備えられている。また、板状脚１２の下端１２ａには、一対の保護シート１５、１５が設けられている。
２つの円柱状脚固定部材３１、３１間には、平面ファスナー掛けピン（係止部）３２が架け渡されている。平面ファスナー掛けピン３２は、平面ファスナー固定部１９と対応し、天板１１の幅Ｗ１の中央部に位置している。
【００１７】
図３は、本発明を適用した実施形態に係る収納装置１の組み立て手順を示した斜視図である。
まず、収納箱１００を組み立てる工程について、説明する。
収納装置１は、上端部が開口する収納箱１００を備え、この収納箱１００は、一対のテーブル１０ａ、１０ｂを組み合わせて構成されている。それぞれのテーブル１０ａ、１０ｂは、上記テーブル１０と同一の構成である。
建屋の壁面Ｗに予め長尺の固定具２が固定され、固定具２には一対の固定バンド３ａ、３ｂが連結されている。固定バンド３ａ、３ｂの先端には、それぞれ平面ファスナー４ａ、４ｂが連結されている。
長尺の固定具２に重ねてテーブル１０ａが配置され、このテーブル１０ａに組み合わせてテーブル１０ｂが配置されている。テーブル１０ａの天板１１の表面１１ｃは、建屋の固定部（壁面Ｗ）に押し当てて配置される。このテーブルの組み合わせ時には、壁面Ｗ側のテーブル１０ａの円柱状脚１３，１３の円錐状凹部１３ｂに、手前（固定部から離れた側）のテーブル１０ｂの円錐状凸部２９が嵌合される。また、手前のテーブル１０ｂの円柱状脚１３，１３の円錐状凹部１３ｂに、壁面Ｗ側のテーブル１０ａの円錐状凸部２９が嵌合される。
円錐状凸部２９は、テーブル組み合わせ時に、テーブル１０の水平方向および上下方向へのズレを防止するズレ防止部材を構成する。
【００１８】
本実施の形態によれば、円柱状脚１３、１３に備えられた円錐状凹部１３ｂ、１３ｂ、及び、相対するテーブル１０の円錐状凸部２９，２９が、共に円錐状になっているため、凹部に凸部を嵌め込みやすく、一対のテーブル１０を組み合わせやすい。
また、本実施の形態によれば、凹部及び凸部が円錐状であり、凹部と凸部の嵌め込みが容易であるから、仮に円柱状脚１３、１３に備えられた円錐状凹部１３ｂ、１３ｂの中心軸と、天板１１の裏面１１ａに備えられた円錐状凸部２９，２９の中心軸がずれていたとしても、一対のテーブル１０を容易に組み合わせることができる。そのため、テーブル１０及び円柱状脚１３の製造管理に過度の負担がかからない。
【００１９】
次に、図３における収納箱１００を壁面Ｗに固定する際の工程について説明する。
収納箱１００は、固定バンド３ａ、３ｂにより壁面Ｗに固定される。
図３を参照すると、固定具２は、壁面Ｗの任意の位置、かつ、床面Ｆから所定の高さの位置に取り付けられる。壁面Ｗの任意の位置、かつ、床面Ｆから所定の高さの位置とは、収納装置１を壁面Ｗに固定するために、予め固定具２が取り付けられている位置である。
固定具２には、固定バンド３ａ、３ｂが取り付けられている。固定バンド３ａ、３ｂには、先端部に、平面ファスナー４ａ、４ｂが形成されている。
図３中のテーブル１０ｂにあるように、板状脚１２の内側の面には、床面Ｆからの高さが、固定具２の床面Ｆからの高さと同じ位置にフック／ループ式の平面ファスナー固定部１９が取り付けられている。
一対のテーブル１０が組み合わされ、収納箱１００となった後、固定バンド３ｂおよび平面ファスナー４ｂは、平面ファスナー挿入孔１８ｂに、テーブル１０の板状脚１２の外側から挿入され（矢印Ａ方向）、平面ファスナー挿入孔１８ｂ挿入後に板状脚１２の内側で、固定具２側に、折り曲げ、引き戻され（矢印Ｂ方向）、平面ファスナー固定部１９に固定される。
【００２０】
図３中のテーブル１０ａの板状脚１２の内側の面にも、同様に、床面Ｆからの高さが、固定具２の床面Ｆからの高さと同じ位置にフック／ループ式の平面ファスナー固定部１９が取り付けられている。
一対のテーブル１０が組み合わされ、収納箱１００となった後、固定バンド３ａおよび平面ファスナー４ａは、平面ファスナー挿入孔１８ａに、テーブル１０の板状脚１２の外側から挿入される（矢印Ｃ方向）。
板状脚１２の外側から平面ファスナー挿入孔１８ａに挿入された平面ファスナー４ａは、平面ファスナー掛けピン３２と天板１１の裏面１１ａとの間を通り、板状脚１２の内側で、固定具２側に、折り曲げ、引き戻され（矢印Ｄ方向）、平面ファスナー固定部１９に固定される。
【００２１】
本実施の形態によれば、上述のように、円柱状脚１３、１３に備えられた円錐状凹部１３ｂ、１３ｂに、相対するテーブル１０の円錐状凸部２９，２９が嵌め込まれることで、一対のテーブル１０が組み合わされた後、各テーブル１０が水平方向および上下方向へずれることを防止することができる。また、平面ファスナー４ａ、４ｂを用いて、テーブル１０ｂをテーブル１０ａに固定することで、各テーブル１０が前後方向にズレを生じることを防止することができる。
そのため、本実施の形態によれば、各テーブル１０が収納箱１００として固定部２に固定された場合、各テーブル１０は、水平方向および上下方向でずれることはなく、かつ、前後方向にずれることもない。
【００２２】
また、一対のテーブル１０を組み合わせた収納箱１００は、図４に示すように、一対のテーブル１０の天板１１を一対の側板とし、一対のテーブル１０の板状脚１２を一対の端板として、上端部に開口１０１を有する。
すなわち、収納箱１００は、四方をテーブル１０の天板１１，１１及び、板状脚１２，１２で覆われているため、収納箱１００の内部に四方からの外力が加わらない所謂シェルターとして使用できる。
そのため、収納装置１００の内部には、テーブル１０とセットで使用される複数の椅子を、上下方向に積み重ねるとともに水平方向に並べて収容可能とする。また、テーブル１０とセットで使用される複数の椅子に限らず、様々な物品が収容可能である。
また、収納箱１００は、四方をテーブル１０の天板１１，１１及び、板状脚１２，１２で覆われており、収納箱１００の内部には、四方からの外力が加わらないため、地震等の災害時など、万一の事態の際には、園児を収納箱１００の内部に避難させ、外力から保護することも可能である。
【００２３】
各テーブル１０が収納箱１００として固定部２に固定された場合に各テーブル１０が水平方向および上下方向へズレることを防止するという観点に関して、本実施の形態においては、一方のテーブル１０に備えられた円錐状凹部１３ｂ、１３ｂを先端に有する円柱状脚１３、１３と、相対するテーブル１０の裏面１１ａに備えられた円錐状凸部２９、２９の組み合わせにより、各テーブル１０の水平方向および上下方向へのズレを防止する。
もっとも、各テーブルを組み合わせた際に、各テーブルの水平方向および上下方向へのズレを防止することができればよいのであるから、本実施の形態に限らず、例えば、一方のテーブルに備えられた円柱状凹部を先端に有する円柱状脚と、相対するテーブルの裏面に備えられた円柱状凸部の組み合わせなど、凹部を先端に有する脚の凹部と相対するテーブルの裏面に備えられた凸部が嵌め込まれる構造であればよい。
また、例えば、相対するテーブルの裏面に、一方のテーブルの脚の先端を受ける受け部の四方を覆うように囲う凸部を設けてもよい。
また、円柱状脚１３は、１脚であってもよい。
また、円柱状脚１３は、例えば、四角の柱状でもよい。
また、平面ファスナー掛けピン３２の構成を維持することができるのであれば、円柱状脚１３，１３の代わりに、板状脚であってもよい。
【００２４】
各テーブル１０が収納箱１００として固定部２に固定された場合に各テーブル１０が前後方向へズレることを防止するという観点に関して、本実施の形態においては、各テーブル１０は、固定バンド３ｂおよび平面ファスナー４ｂを平面ファスナー挿入孔１８ｂに、テーブル１０の板状脚１２の外側から挿入し、板状脚１２の内側で、固定具２側に、折り曲げ、引き戻され、平面ファスナー固定部１９に固定する。同時に、固定バンド３ａおよび平面ファスナー４ａを平面ファスナー挿入孔１８ａに、テーブル１０の板状脚１２の外側から挿入し、平面ファスナー掛けピン３２と天板１１の裏面１１ａとの間を通し、板状脚１２の内側で、固定具２側に、折り曲げ、引き戻され、平面ファスナー固定部１９に固定する。
もっとも、各テーブル１０が前後方向にズレを生じることを防止できればよいのであるから、例えば、固定バンド３ａ、３ｂおよび平面ファスナー４ａ、４ｂの代わりに紐を用い、平面ファスナー固定部１９の代わりに紐を縛りつける等の固定用突起を用いるなど、固定バンド３ａ、３ｂおよび平面ファスナー４ａ、４ｂの代わりに柔軟性や耐久力のある素材を用いてもよい。
また、例えば、固定部２に強力な磁石を備え、固定部２側と対向する位置にあるテーブル１０ｂに固定部２に備えた磁石と引き合う磁石を備えることで、前後方向にズレを生じることを防止する手段を用いてもよい。
また、平面ファスナー掛けピン３２は、固定バンド３ａおよび平面ファスナー４ａを引っ掛けることができればよいのであるから、必ずしもピンでなくとも、固定バンド３ａおよび平面ファスナー４ａを引っ掛けることができるものに変更が可能である。
【符号の説明】
【００２５】
１０、１０ａ、１０ｂ  テーブル
１１  天板
１１ａ  裏面
１２  板状脚
１３  円柱状脚
１３ｂ  円錐状凹部
２２  Ｌ字結合部材
２９  円錐状凸部（ズレ防止部材）
３２  平面ファスナー掛けピン（係止部）
１００  収納箱
Ｗ  壁面（固定部）
【要約】
【課題】テーブル二台を組み合わせることで構成され、テーブルとセットの椅子をはじめとした物品等を収納し、また、地震等の災害時には園児などを避難させ外力から保護することのできる収納装置を提供する。
【解決手段】一対のテーブル１０、１０ａ、１０ｂの脚の側を対向させて組み合わせることで、すべての側面が板囲いで上方が開口した箱形の収納箱１００が構成され、この収納箱１００が、何れかのテーブルの天板を建屋の固定部Ｗに押し当てて配置され、一方のテーブルの脚の先端と、他方のテーブルの天板の裏面との間に、各テーブルの水平方向および上下方向へのズレを防止するズレ防止部材２９が設けられ、建屋の固定部に一端が固定されたベルトの他端が、固定部から離れた側のテーブルを保持して、各テーブルの前後方向のズレを防止した。
【選択図】図３【図１】
0005614694.tif 000002
【図２】
0005614694.tif 000003
【図３】
0005614694.tif 000004
【図４】
0005614694.tif 000005